(57)【要約】【課題】左眼用映像信号及び右眼用映像信号の各映像信号に対するコントラスト処理を少ない処理量で高速に行なう。【解決手段】コントラストに関して、左眼用映像と右眼用映像間での性能差は僅かである。そこで、左眼用映像又は右眼用映像の片側のみから輝度分布のヒストグラムを検出した結果に基づいてガンマ曲線の計算を行ない、その結果を用いて左眼用映像及び右眼用映像の両方に適用してコントラスト補正を行なう。左右２つの映像をコントラスト補正するためにガンマ曲線の計算は１回で済むので、処理量が削減される。【選択図】  図８
2011250229.tif 000002
【特許請求の範囲】
【請求項１】
入力した立体映像信号のうち左眼用映像信号又は右眼用映像信号のうち一方の輝度分布のヒストグラムを検出するヒストグラム検出部と、
前記ヒストグラム検出部が検出したヒストグラムに基づいてガンマ曲線を計算するガンマ曲線計算部と、
前記ガンマ曲線計算部が計算したガンマ曲線に基づいて前記左眼用映像信号及び右眼用映像信号をそれぞれ補正するガンマ曲線出力部と、
を具備する映像信号処理装置。
【請求項２】
入力した立体映像信号のうち左眼用映像信号の輝度分布のヒストグラムを検出する左眼用映像信号ヒストグラム検出部と、
前記立体映像信号のうち右眼用映像信号の輝度分布のヒストグラムを検出する右眼用映像信号ヒストグラム検出部と、
前記左眼用映像信号ヒストグラム検出部及び前記右眼用映像信号ヒストグラム検出部がそれぞれ検出したヒストグラムを輝度レベル毎に最小化する最小化処理部と、
前記最小化処理部による処理後のヒストグラムに基づいてガンマ曲線を計算するガンマ曲線計算部と、
前記ガンマ曲線計算部が計算したガンマ曲線に基づいて前記左眼用映像信号及び右眼用映像信号をそれぞれ補正するガンマ曲線出力部と、
を具備する映像信号処理装置。
【請求項３】
入力した立体映像信号のうち左眼用映像信号の輝度分布のヒストグラムを検出する左眼用映像信号ヒストグラム検出部と、
前記立体映像信号のうち右眼用映像信号の輝度分布のヒストグラムを検出する右眼用映像信号ヒストグラム検出部と、
前記左眼用映像信号ヒストグラム検出部及び前記右眼用映像信号ヒストグラム検出部がそれぞれ検出したヒストグラムを加重平均する平均処理部と、
前記平均処理部によって加重平均したヒストグラムに基づいてガンマ曲線を計算するガンマ曲線計算部と、
前記ガンマ曲線計算部が計算したガンマ曲線に基づいて前記左眼用映像信号及び右眼用映像信号をそれぞれ補正するガンマ曲線出力部と、
を具備する映像信号処理装置。
【請求項４】
入力した立体映像信号のうち左眼用映像信号の輝度分布のヒストグラムを検出する左眼用映像信号ヒストグラム検出部と、
前記立体映像信号のうち右眼用映像信号の輝度分布のヒストグラムを検出する右眼用映像信号ヒストグラム検出部と、
前記左眼用映像信号ヒストグラム検出部及び前記右眼用映像信号ヒストグラム検出部がそれぞれ検出したヒストグラムを輝度レベル毎に最小化する最小化処理部と、
前記左眼用映像信号ヒストグラム検出部及び前記右眼用映像信号ヒストグラム検出部がそれぞれ検出したヒストグラムを加重平均する平均処理部と、
前記左眼用映像信号ヒストグラム検出部、前記最小化処理部、又は、前記平均処理部のうちいずれかが出力するヒストグラムを選択する選択部と、
前記選択部が選択したヒストグラムに基づいてガンマ曲線を計算するガンマ曲線計算部と、
前記ガンマ曲線計算部が計算したガンマ曲線に基づいて前記左眼用映像信号及び右眼用映像信号をそれぞれ補正するガンマ曲線出力部と、
を具備する映像信号処理装置。
【請求項５】
入力した立体映像信号のうち左眼用映像信号又は右眼用映像信号のうち一方の輝度分布のヒストグラムを検出するヒストグラム検出ステップと、
前記ヒストグラム検出ステップで検出したヒストグラムに基づいてガンマ曲線を計算するガンマ曲線計算ステップと、
前記ガンマ曲線計算ステップで計算したガンマ曲線に基づいて前記左眼用映像信号及び右眼用映像信号をそれぞれ補正するガンマ曲線出力ステップと、
を有する映像信号処理方法。
【請求項６】
入力した立体映像信号のうち左眼用映像信号の輝度分布のヒストグラムを検出する左眼用映像信号ヒストグラム検出ステップと、
前記立体映像信号のうち右眼用映像信号の輝度分布のヒストグラムを検出する右眼用映像信号ヒストグラム検出ステップと、
前記左眼用映像信号ヒストグラム検出ステップ及び前記右眼用映像信号ヒストグラム検出ステップでそれぞれ検出したヒストグラムを輝度レベル毎に最小化する最小化処理ステップと、
前記最小化処理ステップによる処理後のヒストグラムに基づいてガンマ曲線を計算するガンマ曲線計算ステップと、
前記ガンマ曲線計算ステップで計算したガンマ曲線に基づいて前記左眼用映像信号及び右眼用映像信号をそれぞれ補正するガンマ曲線出力ステップと、
を有する映像信号処理方法。
【請求項７】
入力した立体映像信号のうち左眼用映像信号の輝度分布のヒストグラムを検出する左眼用映像信号ヒストグラム検出ステップと、
前記立体映像信号のうち右眼用映像信号の輝度分布のヒストグラムを検出する右眼用映像信号ヒストグラム検出ステップと、
前記左眼用映像信号ヒストグラム検出ステップ及び前記右眼用映像信号ヒストグラム検出ステップでそれぞれ検出したヒストグラムを加重平均する平均処理ステップと、
前記平均処理ステップによって加重平均したヒストグラムに基づいてガンマ曲線を計算するガンマ曲線計算ステップと、
前記ガンマ曲線計算ステップで計算したガンマ曲線に基づいて前記左眼用映像信号及び右眼用映像信号をそれぞれ補正するガンマ曲線出力ステップと、
を有する映像信号処理方法。
【請求項８】
入力した立体映像信号のうち左眼用映像信号の輝度分布のヒストグラムを検出する左眼用映像信号ヒストグラム検出ステップと、
前記立体映像信号のうち右眼用映像信号の輝度分布のヒストグラムを検出する右眼用映像信号ヒストグラム検出ステップと、
前記左眼用映像信号ヒストグラム検出ステップ及び前記右眼用映像信号ヒストグラム検出ステップでそれぞれ検出したヒストグラムを輝度レベル毎に最小化する最小化処理ステップと、
前記左眼用映像信号ヒストグラム検出ステップ及び前記右眼用映像信号ヒストグラム検出ステップでそれぞれ検出したヒストグラムを加重平均する平均処理ステップと、
前記左眼用映像信号ヒストグラム検出ステップ、前記最小化処理ステップ、又は、前記平均処理ステップのうちいずれかから得られるヒストグラムを選択する選択ステップと、
前記選択ステップで選択したヒストグラムに基づいてガンマ曲線を計算するガンマ曲線計算ステップと、
前記ガンマ曲線計算ステップで計算したガンマ曲線に基づいて前記左眼用映像信号及び右眼用映像信号をそれぞれ補正するガンマ曲線出力ステップと、
を有する映像信号処理方法。
【請求項９】
立体映像信号の処理をコンピューター上で実行するようにコンピューター可読形式で記述されたコンピューター・プログラムであって、前記コンピューターを、
前記立体映像信号のうち左眼用映像信号又は右眼用映像信号のうち一方の輝度分布のヒストグラムを検出するヒストグラム検出部、
前記ヒストグラム検出部が検出したヒストグラムに基づいてガンマ曲線を計算するガンマ曲線計算部、
前記ガンマ曲線計算部が計算したガンマ曲線に基づいて前記左眼用映像信号及び右眼用映像信号をそれぞれ補正するガンマ曲線出力部、
として機能させるためのコンピューター・プログラム。
【請求項１０】
立体映像信号の処理をコンピューター上で実行するようにコンピューター可読形式で記述されたコンピューター・プログラムであって、前記コンピューターを、
前記立体映像信号のうち左眼用映像信号の輝度分布のヒストグラムを検出する左眼用映像信号ヒストグラム検出部、
前記立体映像信号のうち右眼用映像信号の輝度分布のヒストグラムを検出する右眼用映像信号ヒストグラム検出部、
前記左眼用映像信号ヒストグラム検出部及び前記右眼用映像信号ヒストグラム検出部がそれぞれ検出したヒストグラムを輝度レベル毎に最小化する最小化処理部、
前記最小化処理部による処理後のヒストグラムに基づいてガンマ曲線を計算するガンマ曲線計算部、
前記ガンマ曲線計算部が計算したガンマ曲線に基づいて前記左眼用映像信号及び右眼用映像信号をそれぞれ補正するガンマ曲線出力部、
として機能させるためのコンピューター・プログラム。
【請求項１１】
立体映像信号の処理をコンピューター上で実行するようにコンピューター可読形式で記述されたコンピューター・プログラムであって、前記コンピューターを、
前記立体映像信号のうち左眼用映像信号の輝度分布のヒストグラムを検出する左眼用映像信号ヒストグラム検出部、
前記立体映像信号のうち右眼用映像信号の輝度分布のヒストグラムを検出する右眼用映像信号ヒストグラム検出部、
前記左眼用映像信号ヒストグラム検出部及び前記右眼用映像信号ヒストグラム検出部がそれぞれ検出したヒストグラムを加重平均する平均処理部、
前記平均処理部によって加重平均したヒストグラムに基づいてガンマ曲線を計算するガンマ曲線計算部、
前記ガンマ曲線計算部が計算したガンマ曲線に基づいて前記左眼用映像信号及び右眼用映像信号をそれぞれ補正するガンマ曲線出力部、
として機能させるためのコンピューター・プログラム。
【請求項１２】
立体映像信号の処理をコンピューター上で実行するようにコンピューター可読形式で記述されたコンピューター・プログラムであって、前記コンピューターを、
前記立体映像信号のうち左眼用映像信号の輝度分布のヒストグラムを検出する左眼用映像信号ヒストグラム検出部、
前記立体映像信号のうち右眼用映像信号の輝度分布のヒストグラムを検出する右眼用映像信号ヒストグラム検出部、
前記左眼用映像信号ヒストグラム検出部及び前記右眼用映像信号ヒストグラム検出部がそれぞれ検出したヒストグラムを輝度レベル毎に最小化する最小化処理部、
前記左眼用映像信号ヒストグラム検出部及び前記右眼用映像信号ヒストグラム検出部がそれぞれ検出したヒストグラムを加重平均する平均処理部、
前記左眼用映像信号ヒストグラム検出部、前記最小化処理部、又は、前記平均処理部のうちいずれかが出力するヒストグラムを選択する選択部、
前記選択部が選択したヒストグラムに基づいてガンマ曲線を計算するガンマ曲線計算部、
前記ガンマ曲線計算部が計算したガンマ曲線に基づいて前記左眼用映像信号及び右眼用映像信号をそれぞれ補正するガンマ曲線出力部、
として機能させるためのコンピューター・プログラム。
【発明の詳細な説明】
【技術分野】
【０００１】
本発明は、左眼用映像信号及び右眼用映像信号からなる立体映像を処理する映像信号処理装置及び映像信号処理方法並びにコンピューター・プログラムに係り、特に、立体映像に対して画質補正を行なう映像信号処理装置及び映像信号処理方法並びにコンピューター・プログラムに関する。
【背景技術】
【０００２】
左右の眼に視差のある映像を表示することで、観察者に立体的に見える立体映像を提示することができる。立体映像を提示する方式の１つとして、観察者に特殊な光学特性を持った眼鏡をかけさせ、両眼に視差をつけた画像を提示するものが挙げられる。例えば、時分割立体映像表示システムは、互いに異なる複数の映像を時分割で表示する表示装置と、映像の観察者がかけるシャッター眼鏡の組み合わせからなる。表示装置は、左眼用映像及び右眼用映像を非常に短い周期で交互に画面表示すると同時に、左眼用映像及び右眼用映像の周期に同期して左眼及び右眼に映像を分離して提供する。一方、観察者が装着したシャッター眼鏡は、左眼用映像がディスプレイされる間に、シャッター眼鏡の左眼部が光を透過させ、右眼部が遮光する。また、右眼用映像がディスプレイされる間に、シャッター眼鏡の右眼部が光を透過させ、左眼部が遮光し、右眼用映像がディスプレイされる間に、シャッター眼鏡の右眼部が光を透過させ、左眼部が遮光する。
【０００３】
テレビジョン受像機、ＶＴＲ（Ｖｉｄｅｏ  Ｔａｐｅ  Ｒｅｃｏｒｄｅｒ）、デジタルカメラ、テレビジョンカメラあるいはプリンタなどの機器は、入力画像に画質補正を施してから出力する画像処理機能（例えば明暗やコントラストの調整、輪郭補正などの機能）を有している。このような画像処理機能は、主に全体に暗くコントラストが低い画像や、細部がぼやけた画像に対して効果的に適用される。
【０００４】
また、上述した立体映像表示システムでは、左眼用映像と右眼用映像は通常２台のカメラで撮影されることから、レンズの輝度や歪み、カメラ位置に依る光量の相違などを補正して、左右で同じ映像が表示されるようにする必要がある。また、左右の各映像について画質補正を行なう必要がある。
【０００５】
画質補正のうち、コントラスト調整は、通常、いわゆるガンマ特性を表すガンマ曲線を補正することによって行なわれる。例えば、入力画像のヒストグラム分布による輝度分布を利用する方法は、入力画像の輝度分布のヒストグラム検出、ヒストグラムに基づくガンマ曲線の計算、ガンマ曲線を用いた入力画像の補正の３つの処理で構成される。
【０００６】
上述した立体映像に画像処理機能を適用する場合、左眼用及び右眼用の２つの映像信号に対してそのまま画質補正を行なうと、処理量が膨大になる。また、左眼用及び右眼用の映像信号毎の処理結果が異なると、フリッカーになるという弊害がある。また、左眼用及び右眼用の映像信号の性能を別々に検出すると、その検出時間の高速化が必要になる。検出時間が長いと、動画の生放送に適用できなくなるなどの弊害がある。
【０００７】
例えば、左右映像のそれぞれのヒストグラムを検出し、差が減少するように一方の映像信号を補正する立体映像信号の処理装置について提案がなされている（例えば、特許文献１を参照のこと）。しかしながら、この処理装置では、左右の映像信号（但し、一方は補正されている）についてそれぞれガンマ制御を行なうため、処理量が膨大である。
【先行技術文献】
【特許文献】
【０００８】
【特許文献１】特開２００７−１５１１２５号公報
【発明の概要】
【発明が解決しようとする課題】
【０００９】
本発明の目的は、立体映像に対する画質補正を少ない処理量で高速に行なうことができる、優れた映像信号処理装置及び映像信号処理方法並びにコンピューター・プログラムを提供することにある。
【００１０】
本発明のさらなる目的は、左眼用映像信号及び右眼用映像信号の各映像信号に対するコントラスト処理を少ない処理量で高速に行なうことができる、優れた映像信号処理装置及び映像信号処理方法並びにコンピューター・プログラムを提供することにある。
【課題を解決するための手段】
【００１１】
本願は、上記課題を参酌してなされたものであり、請求項１に記載の発明は、
入力した立体映像信号のうち左眼用映像信号又は右眼用映像信号のうち一方の輝度分布のヒストグラムを検出するヒストグラム検出部と、
前記ヒストグラム検出部が検出したヒストグラムに基づいてガンマ曲線を計算するガンマ曲線計算部と、
前記ガンマ曲線計算部が計算したガンマ曲線に基づいて前記左眼用映像信号及び右眼用映像信号をそれぞれ補正するガンマ曲線出力部と、
を具備する映像信号処理装置である。
【００１２】
また、本願の請求項２に記載の発明は、
入力した立体映像信号のうち左眼用映像信号の輝度分布のヒストグラムを検出する左眼用映像信号ヒストグラム検出部と、
前記立体映像信号のうち右眼用映像信号の輝度分布のヒストグラムを検出する右眼用映像信号ヒストグラム検出部と、
前記左眼用映像信号ヒストグラム検出部及び前記右眼用映像信号ヒストグラム検出部がそれぞれ検出したヒストグラムを輝度レベル毎に最小化する最小化処理部と、
前記最小化処理部による処理後のヒストグラムに基づいてガンマ曲線を計算するガンマ曲線計算部と、
前記ガンマ曲線計算部が計算したガンマ曲線に基づいて前記左眼用映像信号及び右眼用映像信号をそれぞれ補正するガンマ曲線出力部と、
を具備する映像信号処理装置である。
【００１３】
また、本願の請求項３に記載の発明は、
入力した立体映像信号のうち左眼用映像信号の輝度分布のヒストグラムを検出する左眼用映像信号ヒストグラム検出部と、
前記立体映像信号のうち右眼用映像信号の輝度分布のヒストグラムを検出する右眼用映像信号ヒストグラム検出部と、
前記左眼用映像信号ヒストグラム検出部及び前記右眼用映像信号ヒストグラム検出部がそれぞれ検出したヒストグラムを加重平均する平均処理部と、
前記平均処理部によって加重平均したヒストグラムに基づいてガンマ曲線を計算するガンマ曲線計算部と、
前記ガンマ曲線計算部が計算したガンマ曲線に基づいて前記左眼用映像信号及び右眼用映像信号をそれぞれ補正するガンマ曲線出力部と、
を具備する映像信号処理装置である。
【００１４】
また、本願の請求項４に記載の発明は、
入力した立体映像信号のうち左眼用映像信号の輝度分布のヒストグラムを検出する左眼用映像信号ヒストグラム検出部と、
前記立体映像信号のうち右眼用映像信号の輝度分布のヒストグラムを検出する右眼用映像信号ヒストグラム検出部と、
前記左眼用映像信号ヒストグラム検出部及び前記右眼用映像信号ヒストグラム検出部がそれぞれ検出したヒストグラムを輝度レベル毎に最小化する最小化処理部と、
前記左眼用映像信号ヒストグラム検出部及び前記右眼用映像信号ヒストグラム検出部がそれぞれ検出したヒストグラムを加重平均する平均処理部と、
前記左眼用映像信号ヒストグラム検出部、前記最小化処理部、又は、前期平均処理部のうちいずれかが出力するヒストグラムを選択する選択部と、
前記選択部が選択したヒストグラムに基づいてガンマ曲線を計算するガンマ曲線計算部と、
前記ガンマ曲線計算部が計算したガンマ曲線に基づいて前記左眼用映像信号及び右眼用映像信号をそれぞれ補正するガンマ曲線出力部と、
を具備する映像信号処理装置である。
【００１５】
また、本願の請求項５に記載の発明は、
入力した立体映像信号のうち左眼用映像信号又は右眼用映像信号のうち一方の輝度分布のヒストグラムを検出するヒストグラム検出ステップと、
前記ヒストグラム検出ステップで検出したヒストグラムに基づいてガンマ曲線を計算するガンマ曲線計算ステップと、
前記ガンマ曲線計算ステップで計算したガンマ曲線に基づいて前記左眼用映像信号及び右眼用映像信号をそれぞれ補正するガンマ曲線出力ステップと、
を有する映像信号処理方法である。
【００１６】
また、本願の請求項６に記載の発明は、
入力した立体映像信号のうち左眼用映像信号の輝度分布のヒストグラムを検出する左眼用映像信号ヒストグラム検出ステップと、
前記立体映像信号のうち右眼用映像信号の輝度分布のヒストグラムを検出する右眼用映像信号ヒストグラム検出ステップと、
前記左眼用映像信号ヒストグラム検出ステップ及び前記右眼用映像信号ヒストグラム検出ステップでそれぞれ検出したヒストグラムを輝度レベル毎に最小化する最小化処理ステップと、
前記最小化処理ステップによる処理後のヒストグラムに基づいてガンマ曲線を計算するガンマ曲線計算ステップと、
前記ガンマ曲線計算ステップで計算したガンマ曲線に基づいて前記左眼用映像信号及び右眼用映像信号をそれぞれ補正するガンマ曲線出力ステップと、
を有する映像信号処理方法である。
【００１７】
また、本願の請求項７に記載の発明は、
入力した立体映像信号のうち左眼用映像信号の輝度分布のヒストグラムを検出する左眼用映像信号ヒストグラム検出ステップと、
前記立体映像信号のうち右眼用映像信号の輝度分布のヒストグラムを検出する右眼用映像信号ヒストグラム検出ステップと、
前記左眼用映像信号ヒストグラム検出ステップ及び前記右眼用映像信号ヒストグラム検出ステップでそれぞれ検出したヒストグラムを加重平均する平均処理ステップと、
前記平均処理ステップによって加重平均したヒストグラムに基づいてガンマ曲線を計算するガンマ曲線計算ステップと、
前記ガンマ曲線計算ステップで計算したガンマ曲線に基づいて前記左眼用映像信号及び右眼用映像信号をそれぞれ補正するガンマ曲線出力ステップと、
を有する映像信号処理方法である。
【００１８】
また、本願の請求項８に記載の発明は、
入力した立体映像信号のうち左眼用映像信号の輝度分布のヒストグラムを検出する左眼用映像信号ヒストグラム検出ステップと、
前記立体映像信号のうち右眼用映像信号の輝度分布のヒストグラムを検出する右眼用映像信号ヒストグラム検出ステップと、
前記左眼用映像信号ヒストグラム検出ステップ及び前記右眼用映像信号ヒストグラム検出ステップでそれぞれ検出したヒストグラムを輝度レベル毎に最小化する最小化処理ステップと、
前記左眼用映像信号ヒストグラム検出ステップ及び前記右眼用映像信号ヒストグラム検出ステップでそれぞれ検出したヒストグラムを加重平均する平均処理ステップと、
前記左眼用映像信号ヒストグラム検出ステップ、前記最小化処理ステップ、又は、前記平均処理ステップのうちいずれかから得られるヒストグラムを選択する選択ステップと、
前記選択ステップで選択したヒストグラムに基づいてガンマ曲線を計算するガンマ曲線計算ステップと、
前記ガンマ曲線計算ステップで計算したガンマ曲線に基づいて前記左眼用映像信号及び右眼用映像信号をそれぞれ補正するガンマ曲線出力ステップと、
を有する映像信号処理方法である。
【００１９】
また、本願の請求項９に記載の発明は、立体映像信号の処理をコンピューター上で実行するようにコンピューター可読形式で記述されたコンピューター・プログラムであって、前記コンピューターを、
前記立体映像信号のうち左眼用映像信号又は右眼用映像信号のうち一方の輝度分布のヒストグラムを検出するヒストグラム検出部、
前記ヒストグラム検出部が検出したヒストグラムに基づいてガンマ曲線を計算するガンマ曲線計算部、
前記ガンマ曲線計算部が計算したガンマ曲線に基づいて前記左眼用映像信号及び右眼用映像信号をそれぞれ補正するガンマ曲線出力部、
として機能させるためのコンピューター・プログラムである。
【００２０】
また、本願の請求項１０に記載の発明は、立体映像信号の処理をコンピューター上で実行するようにコンピューター可読形式で記述されたコンピューター・プログラムであって、前記コンピューターを、
前記立体映像信号のうち左眼用映像信号の輝度分布のヒストグラムを検出する左眼用映像信号ヒストグラム検出部、
前記立体映像信号のうち右眼用映像信号の輝度分布のヒストグラムを検出する右眼用映像信号ヒストグラム検出部、
前記左眼用映像信号ヒストグラム検出部及び前記右眼用映像信号ヒストグラム検出部がそれぞれ検出したヒストグラムを輝度レベル毎に最小化する最小化処理部、
前記最小化処理部による処理後のヒストグラムに基づいてガンマ曲線を計算するガンマ曲線計算部、
前記ガンマ曲線計算部が計算したガンマ曲線に基づいて前記左眼用映像信号及び右眼用映像信号をそれぞれ補正するガンマ曲線出力部、
として機能させるためのコンピューター・プログラムである。
【００２１】
また、本願の請求項１１に記載の発明は、立体映像信号の処理をコンピューター上で実行するようにコンピューター可読形式で記述されたコンピューター・プログラムであって、前記コンピューターを、
前記立体映像信号のうち左眼用映像信号の輝度分布のヒストグラムを検出する左眼用映像信号ヒストグラム検出部、
前記立体映像信号のうち右眼用映像信号の輝度分布のヒストグラムを検出する右眼用映像信号ヒストグラム検出部、
前記左眼用映像信号ヒストグラム検出部及び前記右眼用映像信号ヒストグラム検出部がそれぞれ検出したヒストグラムを加重平均する平均処理部、
前記平均処理部によって加重平均したヒストグラムに基づいてガンマ曲線を計算するガンマ曲線計算部、
前記ガンマ曲線計算部が計算したガンマ曲線に基づいて前記左眼用映像信号及び右眼用映像信号をそれぞれ補正するガンマ曲線出力部、
として機能させるためのコンピューター・プログラムである。
【００２２】
また、本願の請求項１２に記載の発明は、立体映像信号の処理をコンピューター上で実行するようにコンピューター可読形式で記述されたコンピューター・プログラムであって、前記コンピューターを、
前記立体映像信号のうち左眼用映像信号の輝度分布のヒストグラムを検出する左眼用映像信号ヒストグラム検出部、
前記立体映像信号のうち右眼用映像信号の輝度分布のヒストグラムを検出する右眼用映像信号ヒストグラム検出部、
前記左眼用映像信号ヒストグラム検出部及び前記右眼用映像信号ヒストグラム検出部がそれぞれ検出したヒストグラムを輝度レベル毎に最小化する最小化処理部、
前記左眼用映像信号ヒストグラム検出部及び前記右眼用映像信号ヒストグラム検出部がそれぞれ検出したヒストグラムを加重平均する平均処理部、
前記左眼用映像信号ヒストグラム検出部、前記最小化処理部、又は、前記平均処理部のうちいずれかが出力するヒストグラムを選択する選択部、
前記選択部が選択したヒストグラムに基づいてガンマ曲線を計算するガンマ曲線計算部、
前記ガンマ曲線計算部が計算したガンマ曲線に基づいて前記左眼用映像信号及び右眼用映像信号をそれぞれ補正するガンマ曲線出力部、
として機能させるためのコンピューター・プログラムである。
である。
【００２３】
本願の請求項９乃至１２に係るコンピューター・プログラムは、コンピューター上で所定の処理を実現するようにコンピューター可読形式で記述されたコンピューター・プログラムを定義したものである。換言すれば、本願の請求項９乃至１２に係るコンピューター・プログラムをコンピューターにインストールすることによって、コンピューター上では協働的作用が発揮され、本願の請求項１乃至４に係る映像信号処理装置と同様の作用効果をそれぞれ得ることができる。
【発明の効果】
【００２４】
本発明によれば、左眼用映像信号及び右眼用映像信号の各映像信号に対するコントラスト処理を少ない処理量で高速に行なうことができる、優れた映像信号処理装置及び映像信号処理方法並びにコンピューター・プログラムを提供することができる。
【００２５】
本願の請求項１、５、９に記載の発明によれば、左右２つの映像をコントラスト補正するためにガンマ曲線の計算は１回で済むので、処理量が削減される。また、ヒストグラムの検出期間を半分にするだけで、２次元の映像信号と同じ処理で左眼用映像信号及び右眼用映像信号の両方へのコントラスト補正が可能である。また、左眼用映像と右眼用映像間での性能差は僅かであるから、ヒストグラムの検出期間を半分にする弊害は少ない。
【００２６】
本願の請求項２、６、１０に記載の発明によれば、左右の映像信号の輝度分布のヒストグラムを最小化することで、オクルージョン領域の輝度分布を無視して、左右の両眼に共通するヒストグラム情報のみを用いてガンマ曲線を計算することができる。
【００２７】
本願の請求項３、７、１１に記載の発明によれば、左眼用映像信号と右眼用映像信号間の性能差が大きい場合であっても、左眼用映像信号及び右眼用映像信号から検出した輝度分布のヒストグラムを加重平均することで、性能差の影響を軽減することができる。
【００２８】
本願の請求項４、８、１２に記載の発明によれば、例えば、ヒストグラム検出期間を短くしたいときには左眼用映像信号ヒストグラム検出部の出力を選択し、オクルージョン領域の影響を取り除きたいときには最小化処理部の出力を選択し、左右の映像信号の性能差を軽減したいときには平均処理部の出力を選択することができる。
【００２９】
本発明のさらに他の目的、特徴や利点は、後述する本発明の実施形態や添付する図面に基づくより詳細な説明によって明らかになるであろう。
【図面の簡単な説明】
【００３０】
【図１】図１は、本発明を適用可能な立体映像表示システムの構成を模式的に示した図である。
【図２】図２は、Ｌサブフレーム期間におけるシャッター眼鏡２０の制御動作を示した図である。
【図３】図３は、Ｒサブフレーム期間におけるシャッター眼鏡２０の制御動作を示した図である。
【図４Ａ】図４Ａは、コントラスト補正のアルゴリズムを説明するための図である。
【図４Ｂ】図４Ｂは、コントラスト補正のアルゴリズムを説明するための図である。
【図５Ａ】図５Ａは、コントラスト補正のアルゴリズムを説明するための図である。
【図５Ｂ】図５Ｂは、コントラスト補正のアルゴリズムを説明するための図である。
【図６Ａ】図６Ａは、コントラスト補正のアルゴリズムを説明するための図である。
【図６Ｂ】図６Ｂは、コントラスト補正のアルゴリズムを説明するための図である。
【図７Ａ】図７Ａは、コントラスト補正のアルゴリズムを説明するための図である。
【図７Ｂ】図７Ｂは、コントラスト補正のアルゴリズムを説明するための図である。
【図８】図８は、本発明の一実施形態に係る、コントラスト補正を行なうための機能的構成を示したブロック図である。
【図９】図９は、図８に示した機能ブロックにおいてコントラスト補正を行なうときのタイミングチャートを示した図である。
【図１０】図１０は、本発明の他の実施形態に係る、コントラスト補正を行なうための機能的構成を示したブロック図である。
【図１１】図１１は、図１０に示した機能ブロックにおいてコントラスト補正を行なうときのタイミングチャートを示した図である。
【図１２】図１２は、本発明のさらに他の実施形態に係る、コントラスト補正を行なうための機能的構成を示したブロック図である。
【図１３】図１３は、本発明のさらに他の実施形態に係る、コントラスト補正を行なうための機能的構成を示したブロック図である。
【発明を実施するための形態】
【００３１】
以下、図面を参照しながら本発明の実施形態について詳細に説明する。
【００３２】
図１には、本発明を適用可能な立体映像表示システム１の構成を模式的に示している。図示の立体映像表示システム１は、左眼用映像Ｌ及び右眼用映像Ｒを非常に短い周期で交互に画面表示する液晶ディスプレイ１０と、観察者が頭部に装着するシャッター眼鏡２０からなる。
【００３３】
液晶ディスプレイ１０は、液晶表示パネル１１と、バックライト１２と、映像信号処理部１３と、シャッター眼鏡２０のシャッター機構の開閉タイミングを制御するシャッター制御部１４と、タイミング制御部１５と、バックライト制御部１６と、データ・ドライバー１７及びゲート・ドライバー１８を備えている。本実施形態では、液晶ディスプレイ１０は、左右の視差を有する右眼用映像信号ＤR及び左眼用映像信号ＤLを含む入力映像信号Ｄinに基づいて、映像を表示出力する。
【００３４】
液晶表示パネル１１は、例えば、画素毎にＴＦＴを配置したアクティブ・マトリックス型である。バックライト１２は、液晶表示パネル１１に対して光を照射する光源である。バックライト１２は、バックライト制御部１６から供給される制御信号ＣＴＬBに基づいて、その点灯（発光）動作と消灯動作を時分割で切り換えるように制御される。
【００３５】
バックライト１２には、例えば、ＬＥＤ（Ｌｉｇｈｔ  Ｅｍｉｔｔｉｎｇ  Ｄｉｏｄｅ）やＣＣＦＬ（Ｃｏｌｄ  Ｃａｔｈｏｄｅ  Ｆｌｕｏｒｅｓｃｅｎｔ  Ｌａｍｐ）などを用いることができる。但し、ＣＣＦＬを用いると、残光が生じ易く、また、ＲＧＢの色毎の残光特性が異なってくる。そこで、以下では、残光の少ないＬＥＤをバックライト１２に用いるものとして説明する。
【００３６】
液晶表示パネル１１は、全体としてマトリックス状に配列された複数の画素を有し、データ・ドライバー１７から供給される映像電圧に基づいてバックライト１２から発せられる光を、ゲート・ドライバー１８から供給される駆動信号に従って変調することにより、入力映像信号Ｄinに基づく映像表示を行なう。本実施形態では、液晶表示パネル１１は、１フレーム期間などの所定の周期内で、右眼用映像信号ＤRに基づく右眼用映像Ｒと左眼用映像信号ＤLに基づく左眼用映像Ｌとを、時分割で交互に表示する。
【００３７】
映像信号処理部１３は、入力映像信号Ｄinに基づいて、右眼用映像信号ＤR及び左眼用映像信号ＤLの液晶表示パネル１１への書き込み順序（すなわち、表示順序）の制御を行なうことによって、液晶表示パネル１１への映像信号を生成する。本実施形態では、映像信号処理部１３は、入力映像信号Ｄinから、１フレーム期間内において、左眼用映像信号ＤL及び右眼用映像信号Ｄが交互に配置された映像信号Ｄ１を生成する。なお、以下では、１フレーム期間のうち、左眼用映像Ｌの表示期間を「Ｌサブフレーム期間」、右眼用映像Ｒの表示期間を「Ｒサブフレーム期間」と呼ぶことにする。
【００３８】
また、映像信号処理部１３は、左右で同じ映像が表示されるように、左眼用映像及び右眼用映像に対して、レンズの輝度や歪み、カメラ位置に依る光量の相違などの補正を行なう。また、映像信号処理部１３は、左眼用映像及び右眼用映像の各々に対して、明暗やコントラストの調整、輪郭補正等の画質補正を行なう。
【００３９】
タイミング制御部１５は、ゲート・ドライバー１８及びデータ・ドライバー１７の駆動タイミングを制御するとともに、映像信号処理部１３から供給される映像信号Ｄ１をデータ・ドライバー１７に供給する。タイミング制御部１５は、映像信号Ｄ１に対してオーバードライブ処理を行なうようにしてもよい。
【００４０】
ゲート・ドライバー１８は、タイミング制御部１５によるタイミング制御に従って、液晶表示パネル１１内の各画素をゲート線に沿って順次駆動する。
【００４１】
データ・ドライバー１７は、液晶表示パネル１１の各画素へ、タイミング制御部１５から供給される映像信号Ｄ１に基づく映像電圧を供給する。具体的には、映像信号Ｄ１にＤ／Ａ変換を施して、映像電圧に相当するアナログ映像信号を生成して、各画素へ出力する。
【００４２】
シャッター制御部１４は、映像信号処理部１３による右眼用映像信号ＤR及び左眼用映像信号ＤLの出力タイミングに対応する、左右のシャッター機構の開閉切り換えを制御するためのタイミング制御信号ＣＴＬを、シャッター眼鏡２０に出力する。
【００４３】
シャッター眼鏡２０は、液晶ディスプレイ１０の観察者（図１には図示しない）が装着して、立体視を可能にする。シャッター眼鏡２０は、左眼用レンズ２１Ｌと右眼用レンズ２１Ｒを有している。左眼用レンズ２１Ｌと右眼用レンズ２１Ｒには、開口部を遮光するための遮光シャッター（図示しない）がそれぞれ配設されている。遮光シャッターは、例えば液晶シャッターなどにより構成される。これらの遮光シャッターにおける遮光機能の有効状態（すなわち、閉成状態）、及び、無効状態（すなわち、開成状態）は、シャッター制御部１４から供給される制御信号ＣＴＬにより制御される。
【００４４】
シャッター制御部１４は、左眼用映像Ｌ及び右眼用映像Ｒの各表示期間に対応して、左眼用レンズ２１Ｒ及び右眼用レンズ２１Ｌの各々の開成状態と閉成状態が交互に切り換わるように、シャッター眼鏡２０の遮光シャッターの制御を行なう。具体的には、Ｌサブフレーム期間には、左眼用レンズ２１Ｌの遮光シャッターを開成状態に、右眼用レンズ２１Ｒの遮光シャッターを閉成状態にする一方、Ｒサブフレーム期間には、右眼用レンズ２１Ｒの初期の遮光シャッターを開成状態に、左眼用レンズ２１Ｌの遮光シャッターを閉成状態にするための制御を行なう。
【００４５】
図２には、Ｌサブフレーム期間におけるシャッター眼鏡２０の制御動作を示している。図示のように、Ｌサブフレーム期間には、シャッター制御部１４からの制御信号ＣＴＬにより、左眼用レンズ２１Ｌのシャッターを開成状態、右眼用レンズ２１Ｒのシャッターを閉成状態とし、左眼用映像Ｌに基づく表示光ＬＬが左眼用レンズ２１Ｌのみを透過する。また、図３には、Ｒサブフレーム期間におけるシャッター眼鏡２０の制御動作を示している。図示のように、Ｒサブフレーム期間には、シャッター制御部１４からの制御信号ＣＴＬにより、右眼用レンズ２１Ｒのシャッターを開成状態、左眼用レンズ２１Ｌのシャッターを閉成状態とし、右眼用映像Ｒに基づく表示光ＲＲが右眼用レンズ２１Ｒのみを透過する。
【００４６】
図１に示した立体映像表示システム１において、映像信号処理部１３が左眼用映像及び右眼用映像の各々に対して明暗やコントラストの調整、輪郭補正等の画質補正を行なうことは既に述べた通りである。
【００４７】
画質補正のうち、コントラスト調整は、通常、いわゆるガンマ特性を表すガンマ曲線を補正することによって行なわれる。例えば、入力画像のヒストグラム分布による輝度分布を利用する方法は、入力画像の輝度分布のヒストグラム検出、ヒストグラムに基づくガンマ曲線の計算、ガンマ曲線を用いた入力画像の補正の３つの処理で構成される。
【００４８】
図４Ａに示すように、入力画像の輝度分布が一様である場合、図４Ｂに示すように、ガンマ曲線はＬ１０１のように入力と出力が一致する直線となる。これに対し、図５Ａに示すように、入力画像の輝度分布が低輝度領域（黒レベル領域）に分布している場合には、図５Ｂに示すように、ガンマ曲線はＬ１０１からＬ１０２のように補正される。逆に図６Ａに示すように、入力画像の輝度分布が高輝度領域（白レベル領域）に分布している場合には、図６Ｂに示すように、ガンマ曲線はＬ１０１からＬ１０３のように補正される。また、図７Ａに示すように、入力画像の輝度分布が中間輝度領域に分布している場合には、図７Ｂに示すように、ガンマ曲線はＬ１０１からＬ１０４へと補正される。ガンマ曲線は、例えば入力画像の輝度分布を輝度レベル（横軸）方向に積分する演算から得ることができる。コントラスト補正によって、輝度の頻度分布の高い輝度成分を優先したコントラスト改善が行なわれる。なお、ガンマ曲線を補正する際に輝度レベル毎に設定される補正量の度合いは、ゲイン（利得）と呼ばれる。
【００４９】
コントラスト補正などの画質補正を、左眼用及び右眼用の２つの映像信号に対して個別に行なうと、処理量が膨大になる。とりわけ、ガンマ曲線の計算は処理量が大きい。
【００５０】
左眼用映像と右眼用映像は通常２台のカメラで撮影されることから、レンズの輝度や歪み、カメラ位置に依る光量の相違など、映像信号間での性能差が問題である。但し、コントラストに関しては、左眼用映像と右眼用映像間での性能差は僅かであると言える。そこで、本発明者らは、左眼用映像又は右眼用映像の片側のみから輝度分布のヒストグラムを検出した結果に基づいてガンマ曲線の計算を行ない、その結果を用いて左眼用映像及び右眼用映像の両方に適用してコントラスト補正を行なう方法を提案する。左右２つの映像をコントラスト補正するためにガンマ曲線の計算は１回で済むので、処理量が削減される。ヒストグラムの検出期間を半分にするだけで、２次元の映像信号と同じ処理で左眼用映像信号及び右眼用映像信号の両方へのコントラスト補正が可能である。
【００５１】
図８には、本発明者らが提案する、左右いずれか一方の映像信号のみを用いて立体映像のコントラスト補正処理を行なうための機能的構成を示している。図示の機能ブロック８１〜８３は、例えば映像信号処理部１３内に実装される。
【００５２】
左眼用映像信号ヒストグラム検出部８１は、立体映像信号のうち左眼用映像信号を入力して、輝度分布のヒストグラムを検出する。但し、左眼用映像信号ではなく、右眼用映像信号について輝度分布のヒストグラムを検出するようにしてもよい。
【００５３】
ガンマ曲線計算部８２は、ヒストグラムの検出結果から、ガンマ曲線を計算する。ガンマ曲線を計算するアルゴリズムは、図４〜図７を参照しながら説明した通りである。例えば、輝度分布のヒストグラムを輝度レベル（横軸）方向に積分した結果に基づいて、ガンマ曲線を得ることができる。
【００５４】
ガンマ曲線出力部８３は、立体映像の左眼用映像信号及び右眼用映像信号を入力すると、それぞれの映像信号の輝度レベルを、ガンマ曲線計算部８２が計算したガンマ曲線に従って変換して、出力する。
【００５５】
図９には、図８に示した機能ブロックにおいてコントラスト補正を行なう時のタイミングチャートを示している。図示のように、左眼用映像フレームＬ０が入力される期間にわたって、左眼用映像信号ヒストグラム検出部８１が輝度分布のヒストグラムを検出する。続く、右眼用映像フレームＲ０が入力される期間では、ガンマ曲線計算部８２が、ヒストグラムの検出結果から、左右の映像フレームＬ０及びＲ０に使用するガンマ曲線γ０を計算する。そして、ガンマ曲線出力部８３は、得られたガンマ曲線γ０を用いて、左眼用映像フレームＬ１及び右眼用映像フレームＲ０について、コントラスト補正を行なう。
【００５６】
図８に示したコントラスト補正処理によれば、左右２つの映像をコントラスト補正するためにガンマ曲線の計算は１回で済むので、処理量が削減される。また、ヒストグラムの検出期間を半分にするだけで、２次元の映像信号と同じ処理で左眼用映像信号及び右眼用映像信号の両方へのコントラスト補正が可能である。また、左眼用映像と右眼用映像間での性能差は僅かであるから、ヒストグラムの検出期間を半分にする弊害は少ない。
【００５７】
図１０には、左右両方の映像信号についてヒストグラム検出を行なうが、ガンマ曲線の計算を１回のみにして立体映像のコントラスト補正処理を行なうための機能的構成を示している。図示の機能ブロック１０１〜１０５は、例えば映像信号処理部１３内に実装される。
【００５８】
左眼用映像信号ヒストグラム検出部１０１は、立体映像信号のうち左眼用映像信号を入力して、輝度分布のヒストグラムを検出する。また、右眼用映像信号ヒストグラム検出部１０２は、右眼用映像信号を入力して、輝度分布のヒストグラムを検出する。
【００５９】
最小化処理部１０３は、左眼用映像信号ヒストグラム検出部１０１及び右眼用映像信号ヒストグラム検出部１０２から、それぞれが検出した輝度分布のヒストグラムを入力すると、輝度レベル毎に頻度分布を最小化する。
【００６０】
ガンマ曲線計算部１０４は、最小化されたヒストグラムの検出結果から、ガンマ曲線を計算する。ガンマ曲線を計算するアルゴリズムは、図４〜図７を参照しながら説明した通りである。例えば、輝度分布のヒストグラムを輝度レベル（横軸）方向に積分した結果に基づいて、ガンマ曲線を得ることができる。
【００６１】
ガンマ曲線出力部１０５は、立体映像の左眼用開像信号及び右眼用映像信号を入力すると、それぞれの映像信号の輝度レベルを、ガンマ曲線計算部１０４が計算したガンマ曲線に従って変換して、出力する。
【００６２】
立体映像は、左眼用映像信号又は右眼用映像信号の片方にしか映らない、すなわち、片目にしか見えないオクルージョン領域がある。オクルージョン領域は、両眼視野闘争の原因になるが、コントラスト補正には重要でない。図１０に示したコントラスト補正処理によれば、最小化処理部１０３で左右の映像信号の輝度分布のヒストグラムを最小化することで、オクルージョン領域の輝度分布を無視して、左右の両眼に共通するヒストグラム情報のみを用いてガンマ曲線を計算することができる。
【００６３】
図１１には、図１０に示した機能ブロックにおいてコントラスト補正を行なう時のタイミングチャートを示している。図示のように、左眼用映像フレームＬ０が入力される期間にわたって、左眼用映像信号ヒストグラム検出部８１が輝度分布のヒストグラムを検出する。続く、右眼用映像フレームＲ０が入力される期間にわたって、右眼用映像信号ヒストグラム検出部１０２が輝度分布のヒストグラムを検出する。最小化処理部１０３は、映像フレームＲ０及びＬ１が入力される期間で、左右の映像信号の輝度分布のヒストグラムを輝度レベル毎に最小化する。また、ガンマ曲線計算部１０４は、最小化したヒストグラムの検出結果から、左右の映像フレームＬ０及びＲ０に使用するガンマ曲線γ０を計算する。そして、ガンマ曲線出力部１０５は、得られたガンマ曲線γ０を用いて、右眼用映像フレームＲ１及び左眼用映像フレームＬ２について、コントラスト補正を行なう。
【００６４】
図１０に示したコントラスト補正処理によれば、左右２つの映像をコントラスト補正するためにガンマ曲線の計算は１回で済むので、処理量が削減される。
【００６５】
図１２には、左右両方の映像信号についてヒストグラム検出を行なうが、ガンマ曲線の計算を１回のみにして立体映像のコントラスト補正処理を行なうための機能的構成を示している。図示の機能ブロック１２１〜１２５は、例えば映像信号処理部１３内に実装される。
【００６６】
左眼用映像信号ヒストグラム検出部１２１は、立体映像信号のうち左眼用映像信号を入力して、輝度分布のヒストグラムを検出する。また、右眼用映像信号ヒストグラム検出部１２２は、右眼用映像信号を入力して、輝度分布のヒストグラムを検出する。
【００６７】
平均処理部１２３は、左眼用映像信号ヒストグラム検出部１２１及び右眼用映像信号ヒストグラム検出部１２２から、それぞれが検出した輝度分布のヒストグラムを入力すると、輝度レベル毎に頻度分布の加重平均を計算する。
【００６８】
ガンマ曲線計算部１２４は、最小化されたヒストグラムの検出結果から、ガンマ曲線を計算する。ガンマ曲線を計算するアルゴリズムは、図４〜図７を参照しながら説明した通りである。例えば、輝度分布のヒストグラムを輝度レベル（横軸）方向に積分した結果に基づいて、ガンマ曲線を得ることができる。
【００６９】
ガンマ曲線出力部１２５は、立体映像の左眼用開像信号及び右眼用映像信号を入力すると、それぞれの映像信号の輝度レベルを、ガンマ曲線計算部１２４が計算したガンマ曲線に従って変換して、出力する。
【００７０】
左眼用映像信号と右眼用映像信号間の性能差が大きい場合であっても、左眼用映像信号ヒストグラム検出部１２１及び右眼用映像信号ヒストグラム検出部１２２から検出した輝度分布のヒストグラムを加重平均することで、性能差の影響を軽減することができる。
【００７１】
立体映像のコントラスト補正処理について、図８、図１０、図１２の３例を挙げたが、それぞれ、処理量が少ない、オクルージョンの影響を除去する、左右の映像信号の性能差の影響を軽減する、といった効果がある。そこで、図１３に示すように３通りの処理方法を組み合わせるようにしてもよい。図示の機能ブロック１３１〜１３７は、例えば映像信号処理部１３内に実装される。
【００７２】
左眼用映像信号ヒストグラム検出部１３１は、立体映像信号のうち左眼用映像信号を入力して、輝度分布のヒストグラムを検出する。また、右眼用映像信号ヒストグラム検出部１３２は、右眼用映像信号を入力して、輝度分布のヒストグラムを検出する。
【００７３】
最小化処理部１３３は、左眼用映像信号ヒストグラム検出部１３２及び右眼用映像信号ヒストグラム検出部１０３から、それぞれが検出した輝度分布のヒストグラムを入力すると、輝度レベル毎に頻度分布を最小化する。
【００７４】
平均処理部１３４は、左眼用映像信号ヒストグラム検出部１３１及び右眼用映像信号ヒストグラム検出部１３２から、それぞれが検出した輝度分布のヒストグラムを入力すると、輝度レベル毎に頻度分布の加重平均を計算する。
【００７５】
選択部１３５は、ガンマ曲線計算部１３６に入力するヒストグラムを、左眼用映像信号ヒストグラム検出部１３１、最小化処理部１３３、平均処理部１３４の出力の中から選択する。選択部１３５は、例えば、ヒストグラム検出期間を短くしたいときには左眼用映像信号ヒストグラム検出部１３１の出力を選択し、オクルージョン領域の影響を取り除きたいときには最小化処理部１３３の出力を選択し、左右の映像信号の性能差を軽減したいときには平均処理部１３４の出力を選択する。
【００７６】
選択部１３５は、例えば立体映像表示システム１が備える操作スイッチ、あるいはリモコン（図示しない）から受信したリモコン信号に従って、左眼用映像信号ヒストグラム検出部１３１、最小化処理部１３３、平均処理部１３４の出力のうちいずれを選択するかを決定する。あるいは、サービス・エンジニアによるメンテナンスを通じて選択部１３５の選択切り替えを行なうようにしてもよい。
【００７７】
ガンマ曲線計算部１３６は、選択部１３５によって選択されたヒストグラムを用いてガンマ曲線を計算する。ガンマ曲線を計算するアルゴリズムは、図４〜図７を参照しながら説明した通りである。例えば、輝度分布のヒストグラムを輝度レベル（横軸）方向に積分した結果に基づいて、ガンマ曲線を得ることができる。
【００７８】
ガンマ曲線計算部１２４は、最小化されたヒストグラムの検出結果から、ガンマ曲線を計算する。ガンマ曲線を計算するアルゴリズムは、図４〜図７を参照しながら説明した通りである。例えば、輝度分布のヒストグラムを輝度レベル（横軸）方向に積分した結果に基づいて、ガンマ曲線を得ることができる。
【００７９】
ガンマ曲線出力部１３７は、立体映像の左眼用開像信号及び右眼用映像信号を入力すると、それぞれの映像信号の輝度レベルを、ガンマ曲線計算部１３６が計算したガンマ曲線に従って変換して、出力する。
【産業上の利用可能性】
【００８０】
以上、特定の実施形態を参照しながら、本発明について詳細に説明してきた。しかしながら、本発明の要旨を逸脱しない範囲で当業者が該実施形態の修正や代用を成し得ることは自明である。
【００８１】
本明細書で説明した実施形態における一連の処理は、ハードウェア、ソフトウェアのいずれにより行なうこともできる。当該処理をソフトウェアによって実現する場合には、ソフトウェアにおける処理手順をコンピューター可読形式に記述したコンピューター・プログラムを所定のコンピューターにインストールして実行すればよい。また、このコンピューター・プログラムは、液晶ディスプレイなどの製品に組み込んでおくこともできる。
【００８２】
要するに、例示という形態で本発明を開示してきたのであり、本明細書の記載内容を限定的に解釈するべきではない。本発明の要旨を判断するためには、特許請求の範囲を参酌すべきである。
【符号の説明】
【００８３】
１…立体映像表示システム
１０…液晶ディスプレイ
２０…シャッター眼鏡
１１…液晶表示パネル
１２…バックライト
１３…映像信号処理部
１４…シャッター制御部
１５…タイミング制御部
１６…バックライト制御部
１７…データ・ドライバー
１８…ゲート・ドライバー
２０…シャッター眼鏡
２１Ｌ…左眼用レンズ、２１Ｒ…右眼用レンズ
８１…左眼用映像信号ヒストグラム検出部
８２…ガンマ曲線計算部
８３…ガンマ曲線出力部
１０１…左眼用映像信号ヒストグラム検出部
１０２…右眼用映像信号ヒストグラム検出部
１０３…最小化処理部
１０４…ガンマ曲線計算部
１０５…ガンマ曲線出力部
１２１…左眼用映像信号ヒストグラム検出部
１２２…右眼用映像信号ヒストグラム検出部
１２３…加重平均部
１２４…ガンマ曲線計算部
１２５…ガンマ曲線出力部
１３１…左眼用映像信号ヒストグラム検出部
１３２…右眼用映像信号ヒストグラム検出部
１３３…最小化処理部
１３４…加重平均部
１３５…選択部
１３６…ガンマ曲線計算部
１３７…ガンマ曲線出力部
【図１】
2011250229.tif 000003
【図４Ａ】
2011250229.tif 000004
【図４Ｂ】
2011250229.tif 000005
【図５Ａ】
2011250229.tif 000006
【図５Ｂ】
2011250229.tif 000007
【図６Ａ】
2011250229.tif 000008
【図６Ｂ】
2011250229.tif 000009
【図７Ａ】
2011250229.tif 000010
【図７Ｂ】
2011250229.tif 000011
【図８】
2011250229.tif 000012
【図９】
2011250229.tif 000013
【図１０】
2011250229.tif 000014
【図１１】
2011250229.tif 000015
【図１２】
2011250229.tif 000016
【図１３】
2011250229.tif 000017
【図２】
2011250229.tif 000018
【図３】
2011250229.tif 000019